(57)【要約】【課題】何度も受信処理を行う必要が無く、受信処理時間を短縮化できるタイムレコーダの提示。【解決手段】タイムカードに時刻記録処理を行うタイムレコーダ１が、複数の周波数を有する標準電波から受信可能な標準電波の周波数を記憶する受信周波数の記憶領域を備えており、標準電波の受信処理の開始時に、受信周波数の記憶領域により記憶している周波数の標準電波から受信を開始する。【選択図】  図１
2004164032.tif 000002
【特許請求の範囲】
【請求項１】
タイムカードに時刻記録処理を行うタイムレコーダにおいて、複数の周波数を有する時刻信号から受信可能な時刻信号の周波数を記憶する受信周波数の記憶領域を備えていることを特徴とするタイムレコーダ。
【請求項２】
請求項１の発明において、時刻信号の受信開始時に、前記受信周波数の記憶領域に記憶された受信可能な周波数を読み出して受信を開始する受信開始機能を備えているタイムレコーダ。
【請求項３】
タイムカードに時刻記録処理を行うタイムレコーダにおいて、複数の周波数を有する時刻信号の受信を試行し、受信可能な時刻信号の周波数を読み取り可能に記憶する記憶領域を備えていることを特徴とするタイムレコーダ。
【請求項４】
請求項１乃至請求項３のいずれかに記載のタイムレコーダにおいて、前記受信可能な時刻信号の周波数の受信の試行を、少なくともタイムカードへの時刻記録処理が行われていないときに行うことを特徴とするタイムレコーダ。
【発明の詳細な説明】
【０００１】
【発明の属する技術分野】
本発明は、標準電波の受信機能を備えたタイムレコーダに関する。
【０００２】
【従来の技術】
従来、タイムレコーダに標準電波の受信機能を備えたものとしては、出願人の出願にかかる特開２００２−６３６１３号公報記載の「タイムレコーダ」が開示されている。
【０００３】
このタイムレコーダは、電波時計を内蔵し、標準電波により時刻を自動較正するものであり、較正時にはその時刻を記憶領域に格納し、較正履歴として随時表示できるように構成されたものであり、較正履歴からその設置場所における受信成功率を判断することが出来、受信成功回数が極端に少ない場合には、よりよい電波状態の場所に変更することにより、電波時計を正確に稼働させるものである。（例えば特許文献１参照）
【０００４】
【特許文献１】
特開２００２−６３６１３号公報（００１２、００１３段落）
【０００５】
【発明が解決しようとする課題】
ところで、標準電波は福島県から出力される４０ｋＨｚの標準電波と佐賀県から出力される６０ｋＨｚの２つの周波数があり、この二つの周波数の標準電波によりほぼ日本全国の地域において標準時刻を受信できるようになっているが、地域によってはどちらの周波数を利用すべきかどうかが必ずしも明確ではない。また、標準電波の出力は小さいものであるために、建物内部において金属パネルの陰になったり、窓に金網が内蔵されたガラス戸が設けられていたり、或いは金属製のシャッター等で窓が閉じられていると、標準電波を受信しにくくなり、標準時刻を取得できないという問題がある。
【０００６】
上述のタイムレコーダでは、タイムレコーダの設置場所の環境が受信に適した場所であるかどうかを検出するものであるため、タイムレコーダの設置場所が、４０ｋＨｚと６０ｋＨｚのどちらの周波数を利用すべきかを判定選択する機能は備えていない。
【０００７】
他方、標準電波の受信機能付きの機器（例えば時計等）では、上述の２つの周波数の標準電波を利用する場合、始めに４０ｋＨｚを受信し、この４０ｋＨｚの標準電波を受信できなかった場合に、６０ｋＨｚの標準電波を受信するものがある。勿論、６０ｋＨｚの標準電波の受信を先に行い、４０ｋＨｚの標準電波の受信を後に行うことも考えられる。
【０００８】
しかしながら、この標準電波は標準時刻データが１分間で構成されているので、適正な標準時刻データを取得するには、少なくとも２分〜３分の受信間隔が必要である。他方、タイムレコーダでは標準電波の受信時に正確な電波受信のために大きな電流を使用する機能を停止する場合がある。
【０００９】
このため、この受信動作を必ず４０ｋＨｚの電波受信から始め、次に６０ｋＨｚの電波受信を行うと、受信処理に無駄な時間を費やすことになり、受信時に機能停止を行う場合には、他の本来の機能の停止時間が長くなって正確な労働時間の管理に支障が生ずるという問題がある。
【００１０】
この発明は、このような問題に着目してなされたものであり、時刻信号の受信時において、極力受信処理にかける時間を短縮化して労働時間計測や出勤・退勤等の時間の記録の妨げにならないタイムレコーダを提供することを目的とする。
【００１１】
【課題を解決するための手段】
上記課題を解決するために、本願の第１のタイムレコーダは、タイムカードに時刻記録処理を行うタイムレコーダにおいて、複数の周波数を有する時刻信号から受信可能な時刻信号の周波数を記憶する受信周波数の記憶領域を備えていることを特徴とする。
【００１２】
本願の第２のタイムレコーダは、請求項１の発明において、時刻信号の受信開始時に、前記受信周波数の記憶領域に記憶された受信可能な周波数を読み出して受信を開始する受信開始機能を備えていることを特徴とする。
【００１３】
本願の第３のタイムレコーダは、タイムカードに時刻記録処理を行うタイムレコーダにおいて、複数の周波数を有する時刻信号の受信を試行し、受信可能な時刻信号の周波数を読み取り可能に記憶する記憶領域を備えていることを特徴とする。
【００１４】
本願の第４のタイムレコーダは、請求項１乃至請求項３のいずれかのタイムレコーダにおいて、前記受信可能な時刻信号の周波数の受信の試行を、少なくともタイムカードへの時刻記録処理が行われていないときに行うことを特徴とする。
【００１５】
【発明の実施の形態】
以下、本発明の実施の形態にかかるタイムレコーダを図面に基づいて説明する。
【００１６】
図１及び図２において、１はタイムレコーダであり、このタイムレコーダ１はタイムレコーダ本体２と電波受信ユニット２０とを備えている。
【００１７】
タイムレコーダ本体２の上面にはタイムカード（図示せず）を挿入するカード挿入口３が設けられている。タイムレコーダ本体２の前面の上部には時刻などを表示する表示部（表示手段）４が設けられている。
【００１８】
また、タイムレコーダ本体２の背板５には、電波受信ユニット２０を着脱自在に装着するホルダ１０が取り付けられている。電波受信ユニット２０は、標準電波（時刻信号を有する電波）を受信するアンテナ２１と、このアンテナ２１が受信した標準電波から時刻データを検波する時刻電波受信回路２２等とを備えている。アンテナ２１は筺体に取り付けられており、この筐体内に時刻電波受信回路２２が設けられている。
【００１９】
タイムレコーダ本体２内には、カード挿入口３に挿入されたタイムカード（図示せず）を検知するカードセンサ３１と、カード挿入口３に挿入されたタイムカードを所定位置まで引き込む駆動モータ３２と、この駆動モータ３２によって引き込まれたタイムカードに時刻を印字する印字ヘッド３３と、この印字ヘッド３３を駆動させるドライバ回路３４と、駆動モータ３２を駆動させるドライバ回路３５と、印字制御プログラムや時刻表示プログラムや時間管理プログラム等並びに表示のための文字データ等を格納するＲＯＭ３６と、起動時にＲＯＭ３６から読み込んだプログラムや時刻データ並びに処理の際のパラメータ等を格納するためのＲＡＭ３７と、時刻を刻む時計回路３８と、標準電波に含まれる標準時刻データに基づいて時計回路３８の時刻を表示部４に表示したり、印字制御等を行うための制御装置３９と、時刻電波受信回路２２や時計回路３８或いはドライバ３４，３５やカードセンサ３１等に電力を供給する電源回路４０等とが設けられている。尚、時計回路３８は制御装置３９のマイクロコンピュータの時計機能で構成しても良い。
【００２０】
制御装置３９は、マイクロコンピュータ及び周辺回路から構成され、印字制御機能と、表示機能と時間管理機能を有している。電源回路４０は図示しない電源トランスを有している。電波受信ユニット２０の時刻電波受信回路２２とタイムレコーダ本体２の制御装置３９とは図示しないケーブルによって接続されており、時刻電波受信回路２２の検波した時刻データがケーブルを介して制御装置３９に入力するようになっている。
【００２１】
表示機能は、時間やタイムカードの挿入エラー等を表示する表示プログラムにより行われる。表示プログラムは、通常時は時計回路３８の保有する日時を表示するとともに、タイムカードの挿入が不適正であった場合には、表示部４にエラー表示を行う表示機能を有する。
【００２２】
時間管理プログラムは、タイムカードのＩＤを持つ労働時間記憶領域に、タイムカードの挿入回数、挿入時刻を記憶させる。
【００２３】
時間管理プログラムは、制御装置３９が備える内蔵時計機能（この実施の形態では時計回路３８）の保有するタイムレコーダ１の時刻を読み出して表示部４に表示する表示機能と、標準電波から標準時刻データを読み取って、内蔵時計の時刻データを標準時刻データに書き換える標準電波の受信管理機能を有する。
【００２４】
この標準電波の受信管理機能は、受信処理プログラムにより行われる。この受信処理プログラムが起動すると、時刻電波受信回路２２は受信した標準電波から標準時刻データを読み取って波形整形した後、制御回路３９に送信する。
【００２５】
制御回路３９は内蔵時刻データを標準時刻データに書き換える。
【００２６】
受信処理プログラムが受信処理を行う場合には、受信可能な標準電波の周波数の判別処理を、少なくともタイムカードへの時刻記録処理が行われていないときに行う。
【００２７】
以下、受信処理プログラムの処理の流れを、図３に基づいて説明する。
【００２８】
受信処理プログラムが起動すると、記憶領域に記録された標準電波の周波数を読み込む（ステップ１）。次に、記憶された周波数の標準電波の受信を行い（ステップ２）、受信に成功したかどうかの判別（ステップ３）の後に、成功したら、受信処理を終了させる（ステップ４）。
【００２９】
ここで、受信に失敗したら、他方の周波数の標準電波の受信を行う（ステップ５）。そして、他方の周波数の標準電波の受信の判別（ステップ６）において、成功したら、受信周波数の記憶領域に、当該標準電波の周波数を記憶させ（ステップ７）、受信処理を終了する（ステップ８）。他方の周波数の標準電波の受信に失敗したら、受信失敗として終了する（ステップ９）。
【００３０】
初期値として４０ｋＨｚの周波数が記憶領域に記憶されている場合を例にとって具体的に説明する。
【００３１】
先ず、４０ｋＨｚの受信周波数を記憶領域から読み出し（ステップ１）、４０ｋＨｚの標準電波の受信を行い（ステップ２）、受信に成功した場合、記憶領域は４０ｋＨｚの周波数をそのまま保持させ、受信処理を終了する（ステップ４）。ここで、受信に失敗したら、６０ｋＨｚの標準電波の受信を行う（ステップ５）。受信に成功した場合（ステップ６）、記憶領域にあった４０ｋＨｚの周波数を６０ｋＨｚに置き換えて記憶し（ステップ７）、受信を終了する（ステップ８）。ここで受信に失敗したら、４０ｋＨｚの周波数を記憶領域に保持したまま受信を終了する（ステップ９）。
【００３２】
尚、周波数の標準電波の選択処理の際に、複数の周波数の標準電波の電位差レベルをそれぞれ計測し、計測した電位差レベルを制御回路３９に送信してＲＡＭ３７に記憶させ、制御回路３９はＲＡＭ３７に記憶した複数の周波数の標準電波の電位差のレベルを相互に比較し、その中から受信電波の電位差レベルの高いものを受信可能な標準電波の周波数（４０ｋＨｚと６０ｋＨｚの何れか）と判別しても良い。
【００３３】
この場合先ず４０ｋＨｚの標準電波の受信状態の良否を判定し、良好であれば、ＲＯＭ３６の受信周波数の記憶領域に、４０ｋＨｚの標準電波の周波数を記憶させる。４０ｋＨｚの受信状態が不良と判定されたら、６０ｋＨｚの標準電波の受信状態の良否を判定し、６０ｋＨｚの標準電波の受信状態が良好であれば、受信周波数の記憶領域に、６０ｋＨｚの標準電波の周波数を記憶させる。６０ｋＨｚの標準電波の受信状態が不良である場合には、６０ｋＨｚと４０ｋＨｚの受信した標準電波の電圧レベルを比較し、レベルの高い周波数を選択し、受信周波数の記憶領域に、当該周波数を記憶させるという処理も考えられる。
【００３４】
この実施の形態では、少なくともタイムカードに時刻記録処理を行うタイムレコーダ１において、複数の周波数を有する標準電波から受信可能な標準電波の周波数を記憶する受信周波数の記憶領域を備えており、標準電波の受信処理の開始時に、受信周波数の記憶領域により記憶している周波数の標準電波から受信を開始するので、何度も受信処理を行う必要が無く、受信処理時間を短縮化できる。
【００３５】
更に、受信可能な標準電波の周波数の判別処理を、少なくともタイムカードへの時刻記録処理が行われていないときに行うので、出勤・退勤等の時刻記録の妨げにならない。
【００３６】
尚、時刻修正の一つの手段として正しい時刻信号を載せた標準電波を受信することにより時刻修正を行う例を挙げて説明したが、これに限定されることなく、この発明の技術的範囲内において種々の改変が可能であって、この発明がそれらの改変されたものに及ぶことは当然である。
【００３７】
【発明の効果】
本願の第１の発明にかかるタイムレコーダによれば、受信可能な標準電波の周波数を記憶しているので、受信を開始するときに標準電波の選択が不要であり、標準電波の受信処理を短縮化でき、タイムレコーダの本来の時間管理処理の妨げとならない。
【００３８】
本願の第２のタイムレコーダによれば、記憶している標準電波から受信を開始するので、標準電波の受信処理を短縮化でき、タイムレコーダの本来の時間管理処理の妨げとならない。
【００３９】
本願の第３のタイムレコーダによれば、複数の標準電波があっても、受信開始時に受信可能な標準電波を選んで受信を開始でき、その受信に失敗したときに他の標準電波の選択を行うことができる。
【００４０】
本願の第４の発明にかかるタイムレコーダによれば、タイムレコーダの時刻印字処理等を行わないときに、受信状態をチェックするので、労働時間計測や出勤・退勤等の時間の記録の妨げにならないものとすることができる。
【図面の簡単な説明】
【図１】本発明の実施の形態にかかるタイムレコーダの斜視図である。
【図２】本発明の実施の形態にかかるタイムレコーダのブロック図である。
【図３】本発明の実施の形態にかかるタイムレコーダの受信処理工程の流れ図である。
【符号の説明】
１  タイムレコーダ
２  タイムコーダ本体
３  カード挿入口
４  表示部
２０  電波受信ユニット
２１  アンテナ
２２  時刻電波受信回路
３１  カードセンサ
３６  ＲＯＭ
３７  ＲＡＭ
３８  時計回路
３９  制御装置
４０  電源回路
【図１】
2004164032.tif 000003
【図２】
2004164032.tif 000004
【図３】
2004164032.tif 000005